(57)【特許請求の範囲】
【請求項１】
トランクス型着用物品が、着用者の胴周りの両側部それぞれを覆う一対の側部身頃と、着用者の胴周り中央部と股部とを覆い前記着用者の腹側と背側とにおいて前記側部身頃のそれぞれに接合している中央部身頃とを有し、前記中央部身頃が、少なくとも下記工程を経て製造されることを特徴とする前記トランクス型着用物品の製造方法。
ａ．互いに平行な第１側縁と第２側縁とを備えたメイン・ウエブを一方向へ連続的に供給し、一定の振幅と１／２波長毎に繰り返す山と谷とを有し、前記一方向へ延びる第１のサインカーブ状曲線に倣って前記メイン・ウエブの幅を二分して、前記第１側縁と該第１側縁に並行して前記第１のサインカーブ状曲線を画く第３側縁とを備えた第１ウエブと、前記第２側縁と該第２側縁に並行して前記第１のサインカーブ状曲線を画く第４側縁とを備えた第２ウエブとを前記メイン・ウエブから得る工程、
ｂ．直線状の第５側縁と、前記第１のサインカーブ状曲線と同じ波長を有する第２のサインカーブ状曲線で形成されていて前記第５側縁に並行する第６側縁とを備えた第３ウエブおよび前記第２ウエブのいずれかと、前記第１ウエブとを、それぞれのサインカーブ状曲線で形成される山部どうしおよび谷部どうしを向かい合わせ、かつ、山部の頂部近傍どうしを重ね合わせて接合し、前記谷部どうしで開口が形成されている開口シートを得る工程、
ｃ．２枚の前記開口シートを、それらの開口を一致させて重ね合わせ、開口の周縁に沿って互いに接合して積層シートを得る工程、および
ｄ．前記積層シートにおける前記開口を二等分して前記積層シートの幅方向へ延びる第１切断線および前記開口とそれと隣り合う開口との間を二等分して前記幅方向へ延びる第２切断線によって前記積層シートを切断して前記中央部身頃を得る工程。
【請求項２】
前記工程ｂに先立ち、第２のメイン・ウエブを一方向へ連続的に供給し、前記第２のサインカーブ状曲線に倣って前記第２のメイン・ウエブの幅を二分して、そのうちの一方から前記第３ウエブを得る工程が含まれる請求項１に記載の製造方法。
【請求項３】
前記第１、２ウエブと第３ウエブとには、外観および物性のいずれかが異なる不織布および織布のいずれかが使用されている請求項１または２記載の製造方法。
【請求項４】
前記第１と第２とのサインカーブ状曲線は、波長が同じであって波形が異なっている請求項１〜３のいずれかに記載の製造方法。
【発明の詳細な説明】
【０００１】
【発明の属する技術分野】
この発明は、上着として使用するトランクスや下着として使用するトランクス等のトランクス型着用物品の製造方法に関する。
【０００２】
【従来の技術】
従来、Ｕ字状の切り欠き部を有する２枚のシートを、その切り欠き部が一致するようにして合掌状に重ね合わせ、切り欠き部の縁に沿って接合することでトランクス型着用物品の股部を形成することがある。
【０００３】
【発明が解決しようとする課題】
前記従来技術では、２枚のシートそれぞれに切り欠き部を形成するときに、切り取られてＵ字状を呈するシートが発生する。このシートは、それがそのまま廃棄されることはないにしても、トランクスの製造に直接的に利用されなければ、着用物品の製造コストに少なからぬ影響を及ぼすことになる。
【０００４】
この発明では、トランクス型着用物品の股部を形成するためのシート材料を有効利用して、この物品の製造コストを極力低く抑えることが課題である。
【０００５】
【課題を解決するための手段】
前記課題解決のために、この発明が要旨とするところは、トランクス型着用物品が、着用者の胴周り両側部それぞれを覆う一対の側部身頃と、着用者の胴周り中央部と股部とを覆い前記着用者の腹側と背側とにおいて前記側部身頃のそれぞれに接合している中央部身頃とを有し、前記中央部身頃が、少なくとも下記工程を経て製造されることにある。
【０００６】
ａ．互いに平行な第１側縁と第２側縁とを有するメイン・ウエブを一方向へ連続的に流し、一定の振幅と１／２波長毎に繰り返す山と谷とを有し、前記一方向へ延びる第１のサインカーブ状曲線に倣って前記メイン・ウエブの幅を  二分して、前記第１側縁と該第１側縁に並行して前記第１のサインカーブ状曲線を画く第３側縁とを有する第１ウエブと、前記第２側縁と該第２側縁に並行して前記第１のサインカーブ状曲線を画く第４側縁とを有する第２ウエブとを前記メイン・ウエブから得る工程、
ｂ．直線状の第５側縁と、前記第１のサインカーブ状曲線と同じ波長を有する第２のサインカーブ状曲線で形成されていて前記第５側縁に並行する第６側縁とを有する第３ウエブおよび前記第２ウエブのいずれかと、前記第１ウエブとを、それぞれのサインカーブ状曲線で形成される山部どうしおよび谷部どうしを向かい合わせ、かつ、山部の頂部近傍どうしを重ね合わせて接合し、前記谷部どうしで開口が形成されている開口シートを得る工程、
ｃ．２枚の前記開口シートを、それらの開口を一致させて重ね合わせ、開口の周縁に沿って互いに接合して積層シートを得る工程、および
ｄ．前記積層シートにおける前記開口を二等分して前記積層シートの幅方向へ延びる第１切断線および前記開口とそれと隣り合う開口との間を二等分して前記幅方向へ延びる第２切断線によって前記積層シートを切断して前記中央部身頃を得る工程。
【０００７】
この発明の好ましい実施態様の一つにおいては、前記工程ｂに先立ち、第２のメイン・ウエブを一方向へ連続的に供給し、前記第２のサインカーブ状曲線に倣って前記第２のメイン・ウエブの幅を二分して、そのうちの一方から前記第３ウエブを得る工程が含まれる。
【０００８】
好ましい実施態様の他の一つにおいて、前記第１、２ウエブと第３ウエブとには、外観および物性のいずれかが異なる不織布および織布のいずれかが使用されている。
【０００９】
好ましい実施態様のさらに他の一つにおいて、前記第１と第２とのサインカーブ状曲線は、波長が同じであって波形が異なっている。
【００１０】
【発明の実施の形態】
使い捨てのトランクスを例にとり、添付の図面を参照して、この発明に係るトランクス型着用物品の製造方法の詳細を説明すると、以下のとおりである。
【００１１】
図１に部分破断斜視図で示された使い捨てのトランクス１は、図の左側が着用者の胴周り前方に来るものであって、主として胴周りの側部を覆う左右の側部身頃２，３と、主として胴周り前後と股部とを覆う股部材１０を形成している左右の中央部身頃６，７とを有する。左の側部身頃２は前後の側縁部８，９を有し、これら側縁部８，９が左中央部身頃６の前後の側縁部１１，１２と接合線３１，３２で接合している。右の側部身頃３は、前後の側縁部１３，１４を有し、これら側縁部１３，１４が右中央部身頃７の前後の側縁部１６，１７と接合線３３，３４で接合している。左右の中央部身頃６，７は、トランクス１の股部において前後の渡りとなるＵ字状切り欠き部１８，１９を有し、これら切り欠き部１８，１９がそれらの縁に沿う接合線２０で接合している。各身頃２，３，６，７がこのように接合することによって、トランクス１の胴周り開口部２１と、一対の脚周り開口部２２とが形成されている。側部身頃２，３には、胴周り開口部２１の縁に沿って帯状の弾性部材２３，２４が伸長状態で取り付けられており、トランクス１が胴周り方向への弾性伸縮性を有している。
【００１２】
図２は、図１におけるトランクス１で左右の中央部身頃６，７から左右の側部身頃２，３を剥がして得られる股部材１０の平面図である。左右の中央部身頃６，７は同形同大のものであるが、左中央部身頃６は前部身頃６Ａと後部身頃６Ｂとを有し、これら両身頃６Ａ，６Ｂが接合線２６で接合し、右中央部身頃７は前部身頃７Ａと後部身頃７Ｂとを有し、これら両身頃７Ａ，７Ｂが接合線２７で接合している。
【００１３】
図３は、左中央部身頃６を連続的に製造するときの工程図である。
【００１４】
この図において、工程ａでは、互いに平行な第１側縁部５０Ａと第２側縁部５０Ｂとを有する平面図で示されたメイン・ウエブ５０を矢印Ｘで示された方向へ連続的に供給しながら、一定の波長Ｗと一定の振幅Ｄとを有し、１／２波長毎に山と谷とを繰り返すサインカーブ状曲線Ｃに沿ってメイン・ウエブ５０を裁断してその幅を二分し、第１ウエブ５１と第２ウエブ５２とを得る。第１ウエブ５１は、第１側縁部５０Ａと曲線状の第３側縁部５０Ｃとを有し、側縁部５０Ｃ寄りに山部５６と谷部５７とが形成されている。第２ウエブ５２は、第２側縁部５０Ｂと曲線状の第４側縁部５０Ｄとを有し、側縁部５０Ｄ寄りに山部５８と谷部５９とが形成されている。
【００１５】
工程ｂでは、第１、２ウエブ５１，５２のいずれかを１／２波長だけ矢印Ｘで示された方向またはその逆の方向へずらすことによって、ウエブ５１，５２の山部５６，５８どうし、および谷部５７，５９どうしを向かい合わせる。
【００１６】
工程ｃでは、山部５６，５８どうしが重なり合いを保つ範囲を限度として、第１、２ウエブ５１，５２のいずれかを矢印Ｙで示された方向（工程ｃ参照）またはその逆の方向へ移動させ、山部５６，５８の重なり合っている部分どうしを接合線６１で接合して、谷部５７，５９によって開口６２が形成された開口シート６３を得る。
【００１７】
工程ｄでは、２枚の開口シート６３，６３を互いの開口６２が一致するように重ね合わせ、かつ、開口６２の周縁に沿って延びる接合線６４で接合して、積層シート６６を得る。２枚の開口シート６３，６３は、重ね合わせた状態がよくわかるように、斜視図で示されている。
【００１８】
工程ｅでは、積層シート６６における開口６２を二等分してシート６６の幅方向へ延びる第１切断線Ｇ（工程ｄ参照）と、その開口６２とそれに隣る開口６２との間を二等分してシート６６の幅方向へ延びる第２切断線Ｈ（工程ｄ参照）とで、積層シート６６を切断して股部材ユニット６７を得る。
【００１９】
このようにして得られるユニット６７は、図２に示された股部材１０と同じものであって、ユニット６７と股部材１０との各部分の対応は、次のとおりである。重なり合う２枚の開口シート６３のそれぞれは、股部材１０の左右の中央部身頃６，７となり、第１ウエブ５１と第２ウエブ５２とは、中央部身頃６，７それぞれの前部身頃６Ａ，７Ａと後部身頃６Ｂ，７Ｂとになる。開口シート６３における接合線６１は、図２の接合線２６，２７とになり、開口６２周縁の接合線６４は、図２の接合線２０となる。メイン・ウエブ５０における第１側縁部５０Ａは、図２の側縁部１１，１３となり、第２側縁部５０Ｂは、図２の側縁部１２，１４となる。
【００２０】
ユニット６７では、トランクス１の左右の側部身頃２，３となるべきシートを開口部シート６３それぞれの外面に重ね、かつ、シート６３の第１，２側縁部５０Ａ，５０Ｂに接合する。側部身頃２，３の外面には、弾性部材２３，２４を伸長状態で取り付ける。これら弾性部材２３，２４は、側部身頃２，３の内面に取り付けることもできる。
【００２１】
図４は、この発明の実施態様の他の一例を示す股部材１０の製造工程図である。この工程では、第１メイン・ウエブ５０と第２メイン・ウエブ１５０とから股部材１０となるユニット６７が作られる。
【００２２】
図４において、工程ａでは、第１メイン・ウエブ５０が、幅を二等分する中心線Ｐ−Ｐを横軸として延びる波長Ｗのサインカーブ状第１曲線Ｃ１  に倣って二分され、第１ウエブ５１と第２ウエブ５２とになる。
【００２３】
工程ｂでは、第２メイン・ウエブ１５０が、幅を二等分する中心線Ｑ−Ｑを横軸として延びる波長Ｗのサインカーブ状第２曲線Ｃ２  に倣って二分され、第３ウエブ１５３と第４ウエブ１５４とになる。
【００２４】
工程ｃでは、これらウエブのうちの第１ウエブ５１と第４ウエブ１５４とが、互いの山部５６，１５６どうしを部分的に重ね合わせて接合線６１で接合され、互いの谷部５７，１５７どうしで開口６２を形成する第１開口シート６３となる。
【００２５】
工程ｄでは、第１開口シート６３と同一の開口の配置が得られるように、第２ウエブ５２と第３ウエブ１５３とが、互いの山部５８，１５８どうしを部分的に重ね合わせて接合線１６１で接合され、互いの谷部５９，１５９どうしで開口１６２を形成する第２開口シート１６３となる。
【００２６】
工程ｅでは、第１、２開口シート６３，１６３のいずれか、例えば図示例のように第２開口シート１６３が裏返される。
【００２７】
工程ｆでは、第１開口シート６３と裏返しになった第２開口シート１６３とをそれぞれの開口６２と１６２とが一致するように重ね合わせ、かつ、第２開口１６２の縁に沿って延びる接合線１６４で接合して、積層シート６６を得る。
【００２８】
工程ｇでは、重なり合った開口６２，１６２を二等分して幅方向へ延びる第１切断線Ｇ（工程ｆ参照）と、開口６２，１６２とそれに隣る開口６２，１６２との間を二等分して幅方向へ延びる第２切断線Ｈ（工程ｆ参照）とにおいて積層シート６６を切断し、股部材ユニット６７を得る。
【００２９】
図４のユニット６７には、図３のユニット６７と同様に左右の側部身頃２，３となるべきシートと、弾性部材９とを取り付けてトランクス１に仕立てることができる。図４の製造工程では、第１メイン・ウエブ５０と第２メイン・ウエブ１５０とに、色調や模様等の外観の異なるものを使用したり、伸縮性や通気性等の物性の異なるものを使用したりすると、ユニット６７が前方身頃と後方身頃とで性質の異なるものになる。例えば、前方身頃にはスパンボンド不織布等の比較的低価格な非伸縮性の不織布を使用することによって材料コストを抑え、後方身頃には捲縮した複合繊維等からなる高価格ではあるが伸縮性を有する不織布を使用することによってトランクス着用時の臀部の動きを容易にすることができる。図示例のように第１メイン・ウエブ５０と第２メイン・ウエブ１５０との間で、第１、２曲線Ｃ１，Ｃ２の波形に変化をもたせ、一方の曲線を腹側にフィットし易くし、もう一方の曲線を背側にフィットし易くすることもできる。
【００３０】
この発明において、第１メイン・ウエブ５０や第２メイン・ウエブ１５０には、不織布や織布、プラスチックフィルム等を使用することができる。これらメイン・ウエブ５０，１５０は、縫合によって接合することもできるが、製造コストの面からはホットメルト接着剤等による接着や熱や超音波による溶着によって接合することが好ましい。第１〜４ウエブ５１，５２，１５３，１５４の山部５６，５８，１５６，１５８どうしを重ね合わせて接合するときに、上にすべきウエブをどれにするかは自由である。また、サインカーブ状曲線ＣやＣ１  、Ｃ２  の波形も自由に選ぶことができるから、例えば、図４の工程において、第１、２曲線Ｃ１  とＣ２  とを同一波形にすることもできる。股部材ユニット６７と、左右の側部身頃２，３となるべきシートとの接合は、積層シート６６が第１、２切断線ＧとＨとで切断されてユニット６７が個別のものになるよりも前の工程で実施することもできる。例えば、図３の工程において、連続した積層シート６６に対し、側部身頃２，３となるべき連続したシートを接合することによって第２の積層シートとし、この第２の積層シートを幅方向に切断してトランクス１を得ることができる。このような工程で得られるトランクス１の股部材１０、すなわちユニット６７も本発明の方法によるものということができる。
【００３１】
この発明に係る方法によれば、比較的材料費の安い不織布を無駄なく使用して、連続的にトランクス型着用物品を製造することが可能であり、かかる方法は、製品価格を最優先して着心地を多少犠牲にすることもあり得る使い捨てトランクスの製造に特に適している。
【００３２】
【発明の効果】
この発明に係るトランクス型着用物品の製造方法では、廃棄すべき部分が生じないようにウエブを裁断することができるから、材料を無駄にすることがなく、製品コストの軽減が可能になる。
【図面の簡単な説明】
【図１】トランクスの部分破断斜視図。
【図２】中央部身頃の部分破断平面図。
【図３】トランクスの製造工程図。
【図４】実施態様の一例を示すトランクスの製造工程図。
【符号の説明】
１    トランクス
２，３    側部身頃
６，７    中央部身頃
５０    ウエブ（第１ウエブ）
５０Ａ    第１側縁
５０Ｂ    第２側縁
５０Ｃ    第３側縁
５０Ｄ    第４側縁
５１，５２    サブ・シート
５６    山部
５７    谷部
５８    山部
５９    谷部
６２    開口
６３    積層シート
１５０Ａ    第５側縁
１５０Ｃ    第６側縁
１５３，１５４    サブ・シート
１５６    山部
１５７    谷部
１５８    山部
１５９    谷部
１６２    開口
１６３    積層シート
Ｃ，Ｃ１  ，Ｃ２      曲線
Ｇ    第１切断線
Ｈ    第２切断線
Ｗ    波長
【図１】
0003626615.tif 000002
【図２】
0003626615.tif 000003
【図３】
0003626615.tif 000004
【図４】
0003626615.tif 000005